(57)【要約】【課題】  冷却部の劣化の判断を、より精度よく行うことができる無停電電源システム、無停電電源用劣化判断装置、無停電電源用劣化判断プログラムおよび無停電電源劣化判断方法を提供する。【解決手段】  複数の無停電電源装置２から使用の経過を示す使用経過情報、使用された環境を示す使用環境情報、冷却部の劣化を示す冷却部劣化情報を受信し、受信した使用環境情報に基づいた使用環境ごとに、使用経過情報に基づく経過に対する、冷却部劣化情報に基づいた冷却部２８の劣化を示す劣化曲線を作成する劣化曲線作成処理と、劣化曲線作成処理により作成された劣化曲線に基づき複数の無停電電源装置２の劣化状態を判断する劣化判断処理と、を実行する判断部５と、を備える。【選択図】  図１
2019161963.tif 000002
【特許請求の範囲】
【請求項１】
使用の経過を示す使用経過情報、使用された環境を示す使用環境情報、冷却部の劣化を示す冷却部劣化情報を送信する、
複数の無停電電源装置と、
複数の前記無停電電源装置から使用の経過を示す前記使用経過情報、使用された環境を示す前記使用環境情報、冷却部の劣化を示す前記冷却部劣化情報を受信し、
受信した前記使用環境情報に基づいた使用環境ごとに、前記使用経過情報に基づく経過に対する、前記冷却部劣化情報に基づいた冷却部の劣化を示す劣化曲線を作成する劣化曲線作成処理と、
前記劣化曲線作成処理により作成された前記劣化曲線に基づき複数の前記無停電電源装置の劣化状態を判断する劣化判断処理と、
を実行する判断部と、
を備えた無停電電源システム。
【請求項２】
前記劣化判断処理は、
劣化状態の判断の対象となる無停電電源装置の冷却部劣化情報が、劣化状態の判断の対象となる前記無停電電源装置の使用環境情報および使用経過情報に対応する、前記劣化曲線作成処理により作成された前記劣化曲線の点に対し、所定の数値以内にない場合に、劣化状態の判断の対象となる前記無停電電源装置の前記冷却部が劣化したものと判断する、
請求項１に記載の無停電電源システム。
【請求項３】
前記使用経過情報は、前記無停電電源装置が稼動を開始してから現在までの、稼動時間、出力電力量のうちの少なくとも一つである、
請求項１または２に記載の無停電電源システム。
【請求項４】
前記使用環境情報は、前記無停電電源装置が稼動を開始してから現在までの、温度、湿度、気圧、サージ受電量のうちの少なくとも一つに関する情報である、
請求項１乃至３のいずれか１項に記載の無停電電源システム。
【請求項５】
前記冷却部劣化情報は、冷却部の発生音、振動、消費電流、ＡＥ（アコースティックエミッション）のうちの少なくとも一つに関する情報である、
請求項１乃至４のいずれか１項に記載の無停電電源システム。
【請求項６】
複数の前記無停電電源装置から送信された前記使用経過情報、前記使用環境情報、前記冷却部劣化情報のうちの少なくとも一つは、コンピュータクラウドに蓄積記憶される、
請求項１乃至５のいずれか１項に記載の無停電電源システム。
【請求項７】
複数の前記無停電電源装置から使用の経過を示す使用経過情報、使用された環境を示す使用環境情報、冷却部の劣化を示す冷却部劣化情報を受信し、
受信した前記使用環境情報に基づいた使用環境ごとに、前記使用経過情報に基づく経過に対する、前記冷却部劣化情報に基づいた冷却部の劣化を示す劣化曲線を作成する劣化曲線作成処理と、
前記劣化曲線作成処理により作成された前記劣化曲線に基づき複数の前記無停電電源装置の劣化状態を判断する劣化判断処理と、
を実行する無停電電源用劣化判断装置。
【請求項８】
前記劣化判断処理は、
劣化状態の判断の対象となる無停電電源装置の冷却部劣化情報が、劣化状態の判断の対象となる前記無停電電源装置の使用環境情報および使用経過情報に対応する、前記劣化曲線作成処理により作成された前記劣化曲線の点に対し、所定の数値以内にない場合に、劣化状態の判断の対象となる前記無停電電源装置の前記冷却部が劣化したものと判断する、
請求項７に記載の無停電電源用劣化判断装置。
【請求項９】
前記使用経過情報は、前記無停電電源装置が稼動を開始してから現在までの、稼動時間、出力電力量のうちの少なくとも一つである、
請求項７または８に記載の無停電電源用劣化判断装置。
【請求項１０】
前記使用環境情報は、前記無停電電源装置が稼動を開始してから現在までの、温度、湿度、気圧、サージ受電量のうちの少なくとも一つに関する情報である、
請求項７乃至９のいずれか１項に記載の無停電電源用劣化判断装置。
【請求項１１】
前記冷却部劣化情報は、冷却部の発生音、振動、消費電流、ＡＥ（アコースティックエミッション）のうちの少なくとも一つに関する情報である、
請求項７乃至１０のいずれか１項に記載の無停電電源用劣化判断装置。
【請求項１２】
複数の前記無停電電源装置から送信された前記使用経過情報、前記使用環境情報、前記冷却部劣化情報のうちの少なくとも一つは、コンピュータクラウドに蓄積記憶される、
請求項７乃至１１のいずれか１項に記載の無停電電源用劣化判断装置。
【請求項１３】
複数の前記無停電電源装置から使用の経過を示す使用経過情報、使用された環境を示す使用環境情報、冷却部の劣化を示す冷却部劣化情報を受信するステップと、
受信した前記使用環境情報に基づいた使用環境ごとに、前記使用経過情報に基づく経過に対する、前記冷却部劣化情報に基づいた冷却部の劣化を示す劣化曲線を作成する劣化曲線作成処理を実行するステップと、
前記劣化曲線作成処理により作成された前記劣化曲線に基づき複数の前記無停電電源装置の劣化状態を判断する劣化判断処理を実行するステップと、
を有する無停電電源用劣化判断プログラム。
【請求項１４】
複数の前記無停電電源装置から使用の経過を示す使用経過情報、使用された環境を示す使用環境情報、冷却部の劣化を示す冷却部劣化情報を受信する手順と、
受信した前記使用環境情報に基づいた使用環境ごとに、前記使用経過情報に基づく経過に対する、前記冷却部劣化情報に基づいた冷却部の劣化を示す劣化曲線を作成する劣化曲線作成処理を実行する手順と、
前記劣化曲線作成処理により作成された前記劣化曲線に基づき複数の前記無停電電源装置の劣化状態を判断する劣化判断処理を実行する手順と、
を有する無停電電源用劣化判断方法。
【発明の詳細な説明】
【技術分野】
【０００１】
本実施形態は、電力系統の停電時に電力の供給を行う無停電電源システム、無停電電源用劣化判断装置、無停電電源用劣化判断プログラムおよび無停電電源劣化判断方法に関する。
【背景技術】
【０００２】
インターネットデータセンター、銀行、証券会社のオンラインシステムなどの負荷設備には、電源として、定電圧、定周波数の電力が継続して供給されることが必要とされる。近年、情報インフラの重要性が高まり、無停電にて動作させる負荷設備が数多く普及している。このため、負荷設備に無停電にて電源供給を行う無停電電源システムの需要が高まっている。
【０００３】
商用電源にかかる電力が停止した場合、無停電電源システムは、蓄電池が放電した直流電力を交流電力に変換し、交流電力を無瞬断で負荷設備に供給する。このような無停電電源システムは、供給された交流電力を交流直流変換する交流直流変換部と、交流直流変換部から供給された直流電力により充電される蓄電池と、蓄電池から放電された直流電力を直流交流変換し交流電力を出力する直流交流変換部を有する。
【先行技術文献】
【特許文献】
【０００４】
【特許文献１】特開２０１４−２２２９８２号公報
【発明の概要】
【発明が解決しようとする課題】
【０００５】
上記のような無停電電源システムは、供給された交流電力を交流直流変換する交流直流変換部と、直流電力を直流交流変換し交流電力を出力する直流交流変換部を有する。交流直流変換部および直流交流変換部は、半導体からなるスイッチング回路により構成され、熱を発する。無停電電源システムは、交流直流変換部および直流交流変換部を冷却する冷却部を有する。
【０００６】
しかしながら、冷却部は、冷却ファン等の可動部を有する部材により構成されているため、経年劣化する。冷却部の経年劣化の程度は、無停電電源システムの設置環境、使用状況、冷却部の個体ごとに異なる。冷却部は定期的にメンテナンスされるが、メンテナンス前に冷却部が動作不良を起こす可能性もある。
【０００７】
冷却部が動作不良を起こした場合、無停電電源システムの交流直流変換部および直流交流変換部が高温となり、無停電電源システムを構成する各部を破損する恐れがある。無停電電源システムを構成する各部の破損は、負荷設備に安定した電力の供給を行うことができなくなるため不都合である。従って、可動部を有する冷却部の劣化を事前に予測し、事前に無停電電源システムの破損を防止することが望ましい。
【０００８】
冷却部の劣化は、冷却部の発生音等を抽出することにより推定することができる。しかしながら、冷却部の経年劣化の程度は、無停電電源システムの設置環境、使用状況、冷却部の個体ごとに異なる。このため、冷却部の劣化の判断が、精度よく行われない場合があった。
【０００９】
本実施形態は、冷却部の劣化の判断を、より精度よく行うことができる無停電電源システム、無停電電源用劣化判断装置、無停電電源用劣化判断プログラムおよび無停電電源劣化判断方法を提供することを目的とする。
【課題を解決するための手段】
【００１０】
本実施形態の無停電電源システムは、次のような構成を有することを特徴とする。
（１）使用の経過を示す使用経過情報、使用された環境を示す使用環境情報、冷却部の劣化を示す冷却部劣化情報を送信する複数の無停電電源装置。
（２）以下を実行する判断部。
（２−１）複数の前記無停電電源装置から使用の経過を示す前記使用経過情報、使用された環境を示す前記使用環境情報、冷却部の劣化を示す前記冷却部劣化情報を受信する処理。
（２−２）受信した前記使用環境情報に基づいた使用環境ごとに、前記使用経過情報に基づく経過に対する、前記冷却部劣化情報に基づいた冷却部の劣化を示す劣化曲線を作成する劣化曲線作成処理。
（２−３）前記劣化曲線作成処理により作成された前記劣化曲線に基づき複数の前記無停電電源装置の劣化状態を判断する劣化判断処理。
【００１１】
また、上記の特徴を有する無停電電源用劣化判断装置、無停電電源用劣化判断プログラムおよび無停電電源劣化判断方法も本実施形態に含まれる。
【図面の簡単な説明】
【００１２】
【図１】第１実施形態にかかる無停電電源システムを示す図
【図２】第１実施形態にかかる無停電電源装置の構成を示す図
【図３】第１実施形態にかかる判断部の構成を示す図
【図４】第１実施形態にかかる判断部のプログラムフローを示す図
【図５】第１実施形態にかかる無停電電源装置の制御部のプログラムフローを示す図
【図６】第１実施形態にかかる劣化曲線Ｆを示す図
【図７】第１実施形態にかかる劣化のレベルがプロットされた劣化曲線Ｆを示す図
【発明を実施するための形態】
【００１３】
［１．第１実施形態］
［１−１．構成］
図１〜３を参照して本実施形態の一例としての無停電電源システム１について説明する。
【００１４】
（１）無停電電源システム１の全体構成
本無停電電源システム１は、複数の無停電電源装置２、判断部５を有する。本実施形態において、本無停電電源システム１が、任意の台数ｎ台の無停電電源装置２ａ、２ｂ〜２ｎを有する場合について説明する。無停電電源装置２は、電力供給線９１に配置される。電力供給線９１は、電力系統９の一部を構成し需要家内に電力を供給する。電力系統９は、商用電源９２に接続される。無停電電源装置２から出力された交流電力は、負荷８に供給される。
【００１５】
本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字を付けることで区別する。本実施形態における、ｎ台の無停電電源装置２ａ、２ｂ〜２ｎは同じ構成を有する。
【００１６】
本無停電電源システム１において、以下の信号、データが作成、記憶または送受信される。
信号データＡ：電源部２０の動作音にかかる信号データ
信号データＢ：冷却部２８の劣化に関する信号データ
（冷却部劣化情報Ｂ１：冷却部２８の劣化を示す情報）
（使用環境情報Ｂ２：無停電電源装置２の使用された環境を示す情報）
（使用経過情報Ｂ３：無停電電源装置２の使用の経過を示す情報）
劣化曲線Ｆ：冷却部２８の劣化曲線
警報信号Ｊ：冷却部２８の劣化を警告する警報信号
【００１７】
本無停電電源システム１において、信号データＢ（冷却部２８の劣化に関する信号データ）の一つである冷却部劣化情報Ｂ１が、冷却部２８の発生音である場合について説明する。冷却部劣化情報Ｂ１は、冷却部２８の発生音、振動、冷却部２８の消費電流、電源部２０のＡＥ（アコースチィックエミッション：材料の変形または破損が発生する前に放出される音波、弾性波）のうちの少なくとも一つに関する情報であってもよい。
【００１８】
（２）無停電電源装置２の構成
無停電電源装置２は、電力供給線９１から供給された交流電力を直流電力に変換し蓄電池を充電し、蓄電池から放電された直流電力を交流電力に変換し、負荷８に出力する電源装置である。無停電電源装置２は、電源部２０、制御部３、検出部４、測定部６を有する。無停電電源装置２は、電力需要家の配電室等に設置される。
【００１９】
（２−１）電源部２０の構成
電源部２０は、交流直流変換部２１、蓄電池２２、直流交流変換部２３、バイパス回路２４、入力端子２５、補助入力端子２６、出力端子２７、冷却部２８を有する。
【００２０】
電源部２０の入力端子２５は、電力供給線９１に接続され、交流電力が供給される。電源部２０の出力端子２７は、負荷８が接続され、負荷８には、電源部２０から交流電力が供給される。電源部２０の補助入力端子２６は、バックアップ用の無停電電源装置（図中不示）が接続される端子であり、バックアップ用の交流電力が供給される。本実施形態において、電源部２０の補助入力端子２６は、未接続である。
【００２１】
（交流直流変換部２１）
交流直流変換部２１は、交流電力を直流電力に変換するコンバータにより構成される。交流直流変換部２１を構成するコンバータは、トランジスタ等のスイッチング素子を有し、このスイッチング素子をスイッチングすることにより、交流電力を直流電力に変換する。
【００２２】
交流直流変換部２１は、蓄電池２２の近傍に設置される。交流直流変換部２１は、交流側が入力端子２５を介し電力供給線９１に、直流側が蓄電池２２および直流交流変換部２３に接続される。
【００２３】
交流直流変換部２１は、入力端子２５を介し電力供給線９１から供給された交流電力を直流電力に変換し、直流電力を蓄電池２２、直流交流変換部２３に供給する。
【００２４】
（蓄電池２２）
蓄電池２２は、供給された直流電力にかかる電荷を充電し、充電した電荷を直流電力として放電する充電可能な蓄電装置である。蓄電池２２は、リチウム２次電池のような充電可能な電池が複数組合され構成される。蓄電池２２は、交流直流変換部２１および直流交流変換部２３の近傍に設置される。蓄電池２２は、交流直流変換部２１および直流交流変換部２３に接続される。
【００２５】
蓄電池２２は、交流直流変換部２１により交流直流変換された直流電力により充電される。また、蓄電池２２から放電された直流電力は、直流交流変換部２３により直流交流変換され、交流電力として出力端子２７から出力され、負荷８に供給される。
【００２６】
（直流交流変換部２３）
直流交流変換部２３は、直流電力を交流電力に変換するインバータにより構成される。直流交流変換部２３を構成するインバータは、トランジスタ等のスイッチング素子を有し、このスイッチング素子をスイッチングすることにより、直流電力を交流電力に変換する。
【００２７】
直流交流変換部２３は、蓄電池２２の近傍に設置される。直流交流変換部２３は、交流側が出力端子２７に、直流側が蓄電池２２および交流直流変換部２１に接続される。直流交流変換部２３は、蓄電池２２から放電された直流電力を交流電力に変換し、交流電力を出力端子２７に出力する。出力端子２７に出力された交流電力は負荷８に供給される。
【００２８】
（バイパス回路２４）
バイパス回路２４は、電流の開閉を行うコンタクタ、リレーまたはパワーエレクトロニクス半導体素子のような開閉素子により構成される。バイパス回路２４は、無停電電源装置２を構成する筐体の内部に配置される。バイパス回路２４は、一方が補助入力端子２６に、他方が出力端子２７に接続される。
【００２９】
バイパス回路２４は、制御部３により開路閉路を制御される。バイパス回路２４は、補助入力端子２６から供給された交流電力を、閉路状態時に出力端子２７に供給する。出力端子２７に供給された交流電力は、負荷８に供給される。
【００３０】
（冷却部２８）
冷却部２８は、電動機により駆動される冷却ファンにより構成される。冷却部２８は、無停電電源装置２を構成する筐体の内部であり、交流直流変換部２１および直流交流変換部２３の近傍に設置される。冷却部２８は、冷却ファンを回転させ、空気を流動させることにより交流直流変換部２１および直流交流変換部２３を冷却する。
【００３１】
（２−２）検出部４の構成
検出部４は、音を検出するマイクとアナログデジタル変換器が組み合わされた装置により構成される。検出部４は、複数のマイクを有することが望ましい。検出部４は、無停電電源装置２を構成する筐体の内部であり、冷却部２８の近傍に設置される。
【００３２】
検出部４は、電源部２０の動作音を検出しアナログデジタル変換し、アナログデジタル変換された、電源部２０の動作音にかかる信号データを信号データＡとして制御部３に出力する。信号データＡには、電源部２０の冷却部２８の発生音、交流直流変換部２１、直流交流変換部２３の動作音、環境音のうち少なくとも一つにかかる信号データが含まれる。
【００３３】
（２−３）測定部６の構成
測定部６は、測温抵抗体や熱電対等の温度センサ、湿度センサ、気圧センサ、電気量測定器とアナログデジタル変換器およびタイマが組み合わされた装置により構成される。測定部６は、無停電電源装置２を構成する筐体の内部であり、交流直流変換部２１、蓄電池２２、直流交流変換部２３の近傍に設置される。測定部６は、制御部３の入力部３１に接続される。
【００３４】
測定部６は、無停電電源装置２が稼動を開始してから現在までの、温度、湿度、気圧、出力電力、サージ受電量を、無停電電源装置２の使用された環境を示す情報である使用環境情報Ｂ２として制御部３の入力部３１に出力する。また、測定部６は、無停電電源装置２が稼動を開始してから現在までの、稼動時間、出力電力量を、無停電電源装置２の使用の経過を示す情報である使用経過情報Ｂ３として制御部３の入力部３１に出力する。
【００３５】
（２−４）制御部３の構成
制御部３は、マイクロコンピュータ、ＤＳＰ（ディジタルシグナルプロセッサ）等により構成される。制御部３は、無停電電源装置２を構成する筐体内に配置される。制御部３は、電源部２０の動作音から冷却部２８の発生音を抽出するための制御を行う。制御部３により抽出された冷却部２８の発生音にかかるデータである冷却部劣化情報Ｂ１を含む信号データＢ（冷却部２８の劣化に関する信号データ）が、判断部５に送信される。
【００３６】
制御部３は、入力部３１、出力部３２、送受信部３３、演算部３４を有する。
【００３７】
（入力部３１）
入力部３１は、マイクロコンピュータのポート等からなる電文受信回路により構成される。入力部３１は、入力側が検出部４および測定部６に、出力側が演算部３４に接続される。入力部３１は、検出部４から出力された信号データＡ（電源部２０の動作音にかかる信号データ）および測定部６から出力された使用環境情報Ｂ２、使用経過情報Ｂ３を受信し、演算部３４に出力する。
【００３８】
（出力部３２）
出力部３２は、マイクロコンピュータのポート等からなる電文送信回路により構成される。出力部３２は、入力側が演算部３４に、出力側が電源部２０の交流直流変換部２１、直流交流変換部２３、冷却部２８、バイパス回路２４に接続される。
【００３９】
出力部３２は、演算部３４に制御され、交流直流変換部２１、直流交流変換部２３、冷却部２８に、動作を指示するコマンドを送信する。
【００４０】
（送受信部３３）
送受信部３３は、マイクロコンピュータのポート等からなる電文送受信回路により構成される。送受信部３３は、入力側が演算部３４に、出力側が判断部５に接続される。送受信部３３は、演算部３４にて作成された、冷却部劣化情報Ｂ１、使用環境情報Ｂ２、使用経過情報Ｂ３を含む信号データＢ（冷却部２８の劣化に関する信号データ）を、判断部５に送信する。
【００４１】
（演算部３４）
演算部３４は、マイクロコンピュータまたはＤＳＰ（ディジタルシグナルプロセッサ）のＣＰＵ等により構成される。演算部３４は、後述するコンピュータプログラムを内蔵する。演算部３４は、入力部３１、出力部３２、送受信部３３に接続される。演算部３４は、以下の演算および制御を行う。
【００４２】
（イ）入力部３１に対する制御
演算部３４は、入力部３１を制御し、検出部４から信号データＡ（電源部２０の動作音にかかる信号データ）を、測定部６から使用環境情報Ｂ２、使用経過情報Ｂ３を受信する。
【００４３】
（ロ）出力部３２に対する制御
演算部３４は、出力部３２を制御し、交流直流変換部２１、直流交流変換部２３、冷却部２８に、動作を指示するコマンドを送信する。
【００４４】
（ハ）送受信部３３に対する制御
演算部３４は、送受信部３３を制御し、冷却部劣化情報Ｂ１、使用環境情報Ｂ２、使用経過情報Ｂ３を含む信号データＢ（冷却部２８の劣化に関する信号データ）を、判断部５に送信する。演算部３４は、検出部４から受信した信号データＡ（電源部２０の動作音にかかる信号データ）に基づき演算を行い、冷却部劣化情報Ｂ１を作成する。
【００４５】
（３）判断部５の構成
判断部５の構成を図３に示す。判断部５は、無停電電源装置２の冷却部２８の劣化の判断を行う装置である。判断部５は、パーソナルコンピュータ等により構成される。判断部５は、送受信部５１、記憶部５２、表示部５３、警報出力部５４、送受信部５５、演算部５６を有する。判断部５は、電力需要家の電力管理室等に設置される。判断部５を請求項中において無停電電源用劣化判断装置と呼ぶ場合がある。
【００４６】
（送受信部５１）
送受信部５１は、パーソナルコンピュータの通信ポート等により構成される。送受信部５１は、複数の無停電電源装置２（２ａ、２ｂ〜２ｎ）の制御部３（３ａ、３ｂ〜３ｎ）の送受信部３３（３３ａ、３３ｂ〜３３ｎ）に接続される。送受信部５１は、ローカル通信線を介し制御部３の送受信部３３から、冷却部劣化情報Ｂ１、使用環境情報Ｂ２、使用経過情報Ｂ３を含む信号データＢ（冷却部２８の劣化に関する信号データ）を受信する。送受信部５１の受信動作は、演算部５６により制御される。
【００４７】
（記憶部５２）
記憶部５２は、判断部５を構成するパーソナルコンピュータのハードディスクメモリまたは半導体メモリ等により構成される。記憶部５２の記憶動作は、演算部５６により制御される。記憶部５２は、複数の無停電電源装置２ごとの冷却部劣化情報Ｂ１、使用環境情報Ｂ２、使用経過情報Ｂ３を含む信号データＢ（冷却部２８の劣化に関する信号データ）および冷却部２８の劣化の判断の基準となる劣化曲線Ｆを記憶する。
【００４８】
（表示部５３）
表示部５３は、液晶パネルのような表示装置にて構成される。表示部５３は、複数の無停電電源装置２の冷却部２８の劣化の状態を表示する。表示部５３は、演算部５６により、表示が制御される。
【００４９】
（警報出力部５４）
警報出力部５４は、警報音、警報表示による警報信号を出力する警報装置により構成される。演算部５６は、複数の無停電電源装置２から受信した使用経過情報Ｂ３に基づき、経過に対する、冷却部の劣化を示す劣化曲線Ｆを作成する。冷却部劣化情報Ｂ１に基づいた冷却部の劣化は、複数の無停電電源装置２から受信した冷却部劣化情報Ｂ１に基づく。劣化曲線Ｆは、使用環境情報Ｂ２に基づいた使用環境ごとに、作成される。
【００５０】
演算部５６は、劣化状態の判断の対象となる無停電電源装置２の冷却部劣化情報Ｂ１が、作成した劣化曲線Ｆに対し、所定の数値以内にない場合に、冷却部２８が劣化したものと判断する。劣化の判断は、劣化状態の判断の対象となる無停電電源装置２が使用された使用環境情報Ｂ２に合致する劣化曲線Ｆに基づき行われる。
【００５１】
演算部５６により、冷却部２８が劣化したものと判断された場合、警報信号Ｊ（冷却部２８の劣化を警告する警報信号）が警報出力部５４に対し出力される。警報出力部５４は、演算部５６から送信された警報信号Ｊ（冷却部２８の劣化を警告する警報信号）に基づき、警報音、警報表示により警報を出力する。
【００５２】
（送受信部５５）
送受信部５５は、パーソナルコンピュータの通信ポート等により構成される。送受信部５５は、インターネット等の通信回線（図中不示）に接続される。送受信部５５は、通信回線を介し他のコンピュータ等の機器と通信を行う。送受信部５５は、他のコンピュータ等の機器から送信されるリクエスト信号に応じ、複数の無停電電源装置２の冷却部２８の劣化の状態を送信する。送受信部５５の送受信動作は、演算部５６により制御される。
【００５３】
（演算部５６）
演算部５６は、判断部５を構成するパーソナルコンピュータのＣＰＵ等により構成される。演算部５６は、後述するコンピュータプログラムを内蔵する。演算部５６は、送受信部５１、記憶部５２、表示部５３、警報出力部５４、送受信部５５に接続される。演算部５６は、以下の演算および制御を行う。
【００５４】
（イ）送受信部５１に対する制御
演算部５６は、送受信部５１を制御し、ローカル通信線を介し複数の無停電電源装置２の制御部３の送受信部３３から、冷却部劣化情報Ｂ１、使用環境情報Ｂ２、使用経過情報Ｂ３を含む信号データＢ（冷却部２８の劣化に関する信号データ）を受信する。
【００５５】
（ロ）記憶部５２に対する制御
演算部５６は、記憶部５２を制御し、複数の無停電電源装置２ごとの冷却部劣化情報Ｂ１、使用環境情報Ｂ２、使用経過情報Ｂ３を含む信号データＢ（冷却部２８の劣化に関する信号データ）および冷却部２８の劣化の判断の基準となる劣化曲線Ｆを記憶させ、呼び出す。
【００５６】
（ハ）表示部５３に対する制御
演算部５６は、表示部５３を制御し、複数の無停電電源装置２の冷却部２８の劣化の状態を表示させる。
【００５７】
（ニ）警報出力部５４に対する制御
演算部５６は、警報出力部５４を制御し、冷却部２８が劣化したものと判断した場合、
警報信号Ｊ（冷却部２８の劣化を警告する警報信号）を警報出力部５４に対し出力する。警報出力部５４は、警報信号Ｊ（冷却部２８の劣化を警告する警報信号）に基づき、警報音、警報表示により警報を出力する。
【００５８】
（ホ）送受信部５５に対する制御
演算部５６は、送受信部５５を制御し、通信回線を介し接続された他のコンピュータ等の機器との通信を行う。演算部５６は、送受信部５５を制御し、他のコンピュータ等の機器から送信されたリクエスト信号を受信する。このリクエスト信号に応じ、演算部５６は、送受信部５５を制御し、複数の無停電電源装置２の冷却部２８の劣化の状態を送信する。
【００５９】
［１−２．作用］
次に、本実施形態の無停電電源システム１の動作の概要を、図１〜７に基づき説明する。
【００６０】
［Ａ．判断部５の動作］
判断部５は、劣化曲線作成処理により無停電電源装置２の冷却部２８の劣化を表す劣化曲線Ｆを作成する。劣化曲線Ｆは、使用環境情報Ｂ２に基づき使用環境ごとに作成される。
【００６１】
また、判断部５は、劣化判断処理により、劣化曲線作成処理により作成された劣化曲線Ｆに基づき複数の無停電電源装置２の冷却部２８の劣化状態を判断する。判断部５は、劣化曲線Ｆに基づき、劣化状態の判断の対象となる無停電電源装置２から送信された信号データＢ（冷却部２８の劣化に関する信号データ）の冷却部劣化情報Ｂ１に基づき、劣化を判断しあらかじめ定められた劣化度合い以上である場合に、劣化があると判断し警報を発する。
【００６２】
判断部５の演算部５６は、以下の処理を実行する。判断部５の演算部５６は、図４に示すプログラムに従って動作を行う。図４に示すプログラムは、判断部５の演算部５６に内蔵される。図４（ａ）に示す劣化曲線作成処理にかかるプログラム、および図４（ｂ）に示す劣化判断処理にかかるプログラムは、判断部５の演算部５６により、一定周期ごとに繰り返し継続的に実行される。
【００６３】
（イ、劣化曲線作成処理）
演算部５６により、実行される劣化曲線作成処理にかかるプログラムを、図４（ａ）に示す。劣化曲線作成処理にかかるプログラムは、判断部５の演算部５６により、一定周期ごとに繰り返し継続的に実行される。
【００６４】
（ステップＳ０１：無停電電源装置２から信号データＢを受信する）
演算部５６は、送受信部５１を介し、複数の無停電電源装置２により送信された冷却部劣化情報Ｂ１、使用環境情報Ｂ２、使用経過情報Ｂ３を含む信号データＢ（冷却部２８の劣化に関する信号データ）を受信する。受信した冷却部劣化情報Ｂ１、使用環境情報Ｂ２、使用経過情報Ｂ３を含む信号データＢ（冷却部２８の劣化に関する信号データ）は、複数の無停電電源装置２（２ａ、２ｂ〜２ｎ）ごとに記憶部５２に蓄積して記憶される。
【００６５】
動作開始初期時には、複数の無停電電源装置２（２ａ、２ｂ〜２ｎ）ごとの個体、または相当する機種の平均的な音データが記憶部５２に記憶される。信号データＢ（冷却部２８の劣化に関する信号データ）にかかる冷却部劣化情報Ｂ１（冷却部２８の劣化を示す情報）は、例えば、音量や周波数変換後の対数スペクトルである。冷却部劣化情報Ｂ１（冷却部２８の劣化を示す情報）にかかる、動作開始初期時のデータと現時点のデータとの差分が「劣化レベル」として算出される。
【００６６】
一例として、冷却部劣化情報Ｂ１（冷却部２８の劣化を示す情報）が音量である場合の、「劣化レベル」を表す劣化曲線Ｆを図６、図７に示す。また、動作開始初期時の音データをオートエンコーダで事前学習し、現時点での音データをオートエンコーダに入力し、動作開始初期時と現時点における冷却部劣化情報Ｂ１（冷却部２８の劣化を示す情報）の差分を、「劣化レベル」として算出するようにしてもよい。
【００６７】
劣化曲線作成処理にかかるプログラムは、判断部５の演算部５６により、一定周期ごとに繰り返し継続的に実行されるので、冷却部劣化情報Ｂ１、使用環境情報Ｂ２、使用経過情報Ｂ３を含む信号データＢ（冷却部２８の劣化に関する信号データ）は、記憶部５２に蓄積して記憶される。
【００６８】
冷却部劣化情報Ｂ１は、無停電電源装置２の冷却部２８の劣化を示す情報である。本実施形態において冷却部劣化情報Ｂ１は、冷却部２８の発生音に関するデータである。冷却部劣化情報Ｂ１は、冷却部２８の発生音、振動、冷却部２８の消費電流、電源部２０のＡＥ（アコースチィックエミッション：材料の変形または破損が発生する前に放出される音波、弾性波）のうちの少なくとも一つに関する情報であってもよい。
【００６９】
使用環境情報Ｂ２は、無停電電源装置２の使用された環境を示す情報である。使用環境情報Ｂ２は、無停電電源装置２が稼動を開始してから現在までの、温度、湿度、気圧、サージ受電量のうちの少なくとも一つに関する情報である。使用環境情報Ｂ２は、冷却部劣化情報Ｂ１とともに信号データＢとして、複数の無停電電源装置２から送信される。
【００７０】
使用経過情報Ｂ３は、無停電電源装置２の使用の経過を示す情報である。使用経過情報Ｂ３は、無停電電源装置２が稼動を開始してから現在までの、無停電電源装置が稼動を開始してから現在までの、稼動時間、出力電力量のうちの少なくとも一つに関する情報である。使用経過情報Ｂ３は、冷却部劣化情報Ｂ１とともに信号データＢとして、複数の無停電電源装置２から送信される。
【００７１】
（ステップＳ０２：使用環境情報Ｂ２に基づき冷却部劣化情報Ｂ１を分類する）
次に演算部５６は、記憶部５２に記憶された使用環境情報Ｂ２に基づき、複数の無停電電源装置２の冷却部劣化情報Ｂ１を分類する。例えば演算部５６は、複数の無停電電源装置２ごとの平均使用温度を使用環境情報Ｂ２に基づき算出する。例えば、使用環境情報Ｂ２に基づき、平均温度Ｔ１＝０℃〜１０℃、Ｔ２＝１０℃〜２０℃、Ｔ３＝２０℃〜３０℃、Ｔ４＝３０℃〜４０℃、Ｔ５＝４０℃〜５０℃に、複数の無停電電源装置２から送信された冷却部劣化情報Ｂ１が分類される。各冷却部劣化情報Ｂ１には使用環境情報Ｂ２が付される。
【００７２】
（ステップＳ０３：冷却部劣化情報Ｂ１に基づき劣化曲線Ｆを作成する）
次に演算部５６は、ステップＳ０２で分類した冷却部劣化情報Ｂ１に基づき劣化曲線Ｆを作成する。劣化曲線Ｆの例を図６に示す。劣化曲線Ｆは、ステップＳ０２にて分類した使用環境情報Ｂ２ごとに作成される。例えば、劣化曲線Ｆは、平均温度Ｔ１＝０℃〜１０℃、Ｔ２＝１０℃〜２０℃、Ｔ３＝２０℃〜３０℃、Ｔ４＝３０℃〜４０℃、Ｔ５＝４０℃〜５０℃ごとに、作成される。
【００７３】
劣化曲線Ｆは、使用経過情報Ｂ３に対する冷却部劣化情報Ｂ１を表す、無停電電源装置２の冷却部２８の過去の劣化の経緯を示すグラフである。例えば劣化曲線Ｆは、無停電電源装置２の冷却部２８の稼動時間に対する、冷却部２８の発生音が表されたグラフである。無停電電源装置２の冷却部２８の稼動時間が使用経過情報Ｂ３に相当し、冷却部２８の発生音が、冷却部劣化情報Ｂ１に相当する。使用環境情報Ｂ２および使用経過情報Ｂ３の予め定められた数値範囲内にある、複数の無停電電源装置２の冷却部２８の冷却部劣化情報Ｂ１の平均値が、劣化曲線Ｆに用いられる。作成された劣化曲線Ｆは記憶部５２に記憶される。
【００７４】
以上が、判断部５により実行される劣化曲線作成処理である。劣化曲線作成処理により、無停電電源装置２ａ、２ｂ〜２ｎの各冷却部２８ａ、２８ｂ〜２８ｎの、平均的な劣化情報を示す劣化曲線Ｆが作成される。
【００７５】
（ロ、劣化判断処理）
演算部５６により、実行される劣化判断処理にかかるプログラムを、図４（ｂ）に示す。劣化判断処理にかかるプログラムは、判断部５の演算部５６により、一定周期ごとに繰り返し継続的に実行される。
【００７６】
（ステップＳ１１：無停電電源装置２から信号データＢを受信する）
演算部５６は、送受信部５１を介し劣化状態の判断の対象となる無停電電源装置２から冷却部劣化情報Ｂ１、使用環境情報Ｂ２、使用経過情報Ｂ３を含む信号データＢ（冷却部２８の劣化に関する信号データ）を受信する。
【００７７】
（ステップＳ１２：劣化曲線Ｆを選択する）
次に演算部５６は、ステップＳ１１にて受信した劣化状態の判断の対象となる無停電電源装置２の使用環境情報Ｂ２に相当する劣化曲線Ｆを選択する。劣化曲線Ｆは、劣化曲線作成処理により、例えば平均温度Ｔ１＝０℃〜１０℃、Ｔ２＝１０℃〜２０℃、Ｔ３＝２０℃〜３０℃、Ｔ４＝３０℃〜４０℃、Ｔ５＝４０℃〜５０℃ごとに作成されている。
【００７８】
演算部５６は、劣化状態の判断の対象となる無停電電源装置２の使用環境情報Ｂ２に基づき、無停電電源装置２が使用された使用温度を把握し、使用温度に対応した劣化曲線Ｆを選択する。例えば、無停電電源装置２が使用された使用温度が、２５℃である場合、Ｔ３＝２０℃〜３０℃にかかる劣化曲線Ｆが選択される。
【００７９】
（ステップＳ１３：冷却部劣化情報Ｂ１のレベルがプロットされた劣化曲線Ｆを作成する）
次に演算部５６は、ステップＳ１１にて受信した劣化状態の判断の対象となる無停電電源装置２の冷却部劣化情報Ｂ１にかかる劣化のレベルがプロットされた劣化曲線Ｆを作成する。劣化のレベルがプロットされた劣化曲線Ｆを図７に示す。演算部５６は、ステップＳ１２にて選択した劣化曲線Ｆ上に、ステップＳ１１にて受信した劣化状態の判断の対象となる無停電電源装置２の冷却部劣化情報Ｂ１にかかる劣化のレベルをプロットする。
【００８０】
この冷却部劣化情報Ｂ１にかかる劣化のレベルは、劣化曲線Ｆにおける劣化状態の判断の対象となる無停電電源装置２の使用経過情報Ｂ３に相当する箇所にプロットされる。例えば使用経過情報Ｂ３が、稼動時間を示すものである場合、劣化状態の判断の対象となる無停電電源装置２の劣化のレベルは、相当する稼動時間の劣化曲線Ｆ上にプロットされる。冷却部劣化情報Ｂ１にかかる劣化のレベルは、例えば、劣化状態の判断の対象となる無停電電源装置２の冷却部２８の発生音にかかる音量レベルである。
【００８１】
（ステップＳ１４：劣化のレベルがプロットされた劣化曲線Ｆを表示する）
次に演算部５６は、ステップＳ１３にて作成された、劣化状態の判断の対象となる無停電電源装置２の冷却部２８の劣化のレベルがプロットされた劣化曲線Ｆを表示部５３に表示させる。作業者は、表示部５３に表示された劣化のレベルがプロットされた劣化曲線Ｆにより、劣化状態の判断の対象となる無停電電源装置２の冷却部２８の劣化のレベルを把握する。作業者は、例えば、劣化状態の判断の対象となる無停電電源装置２の冷却部２８の発生音にかかる音量レベルが上昇したことを把握し劣化の状態を認識する。
【００８２】
（ステップＳ１５：劣化曲線Ｆに基づき冷却部２８が劣化したか判断する）
次に演算部５６は、ステップＳ１３にて作成された、劣化のレベルがプロットされた劣化曲線Ｆに基づき、劣化状態の判断の対象となる無停電電源装置２の冷却部２８が劣化したかの判断を行う。冷却部２８が劣化したかの判断は、劣化状態の判断の対象となる無停電電源装置２の冷却部劣化情報Ｂ１にかかる劣化のレベルが、劣化状態の判断の対象となる無停電電源装置２の使用環境情報Ｂ２および使用経過情報Ｂ３に対応する、劣化曲線Ｆの点に対し、予め定められた数値の範囲内にあるかにより判断される。劣化のレベルが、予め定められた数値の範囲内にないと判断された場合、劣化したと判断される。劣化のレベルが、予め定められた数値の範囲内にあると判断された場合、劣化していないと判断される。
【００８３】
演算部５６は、劣化のレベルがプロットされた劣化曲線Ｆにより、劣化曲線Ｆと、劣化状態の判断の対象となる無停電電源装置２の冷却部２８の冷却部劣化情報Ｂ１にかかる劣化のレベルとの対比を行う。劣化の判断は、例えば、予め定められた数値である劣化曲線Ｆに基づく標準偏差σに基づき、劣化のレベルが、劣化曲線Ｆに対し３σ内にあるかにより行われる。劣化のレベルが、劣化曲線Ｆに対し３σ内にないと判断された場合、劣化したと判断される。劣化のレベルが、劣化曲線Ｆに対し３σ内にあると判断された場合、劣化していないと判断される。
【００８４】
演算部５６により、劣化のレベルが予め定められた数値の範囲内にないと判断された場合、冷却部２８が劣化したと判断され（ステップＳ１５のＹＥＳ）、プログラムはステップＳ１６に移行する。演算部５６により、劣化のレベルが予め定められた数値の範囲内にないと判断されない場合、冷却部２８が劣化していない判断され（ステップＳ１５のＮＯ）、一連のプログラムは終了となる。
【００８５】
（ステップＳ１６：警報出力部５４から警報を出力する）
ステップＳ１５にて冷却部２８が劣化したと判断された場合、演算部５６は、警報信号Ｊ（冷却部２８の劣化を警告する警報信号）を警報出力部５４に送信する。警報出力部５４は、劣化状態の判断の対象となる無停電電源装置２の冷却部２８が劣化していることを示す警報を警報音、警報表示により出力する。その後、演算部５６は、一連のプログラムを終了する。
【００８６】
以上が、判断部５の動作である。上記のように判断部５により、無停電電源装置２の冷却部２８の劣化を判断する劣化判断処理が実行される。
【００８７】
［Ｂ．無停電電源装置２の制御部３の動作］
無停電電源装置２の制御部３は、無停電電源装置２の冷却部２８の発生音を抽出し、信号データＢ（冷却部の発生音にかかる信号データ）中の冷却部劣化情報Ｂ１として判断部５に送信する。また、無停電電源装置２の制御部３は、信号データＢ（冷却部の発生音にかかる信号データ）中に使用環境情報Ｂ２、使用経過情報Ｂ３を含め判断部５に送信する。
【００８８】
無停電電源装置２の制御部３の演算部３４は、以下の処理を実行する。制御部３の演算部３４は、図５に示すプログラムに従って動作を行う。図５に示すプログラムは、制御部３の演算部３４に内蔵される。図５に示すプログラムは、制御部３の演算部３４により、一定周期ごとに繰り返し実行される。
【００８９】
（ステップＲ０１：検出部４から信号データＡを受信する）
最初に演算部３４は、入力部３１を介し検出部４から信号データＡ（電源部２０の動作音にかかる信号データ）を受信する。検出部４は、常時、電源部２０の動作音を検出しアナログデジタル変換し、電源部２０の動作音にかかる信号データを信号データＡとして出力する。信号データＡには、電源部２０の冷却部２８の発生音、交流直流変換部２１、直流交流変換部２３の動作音、環境音にかかる信号データが含まれる。信号データＡ（電源部２０の動作音にかかる信号データ）は、常時検出部４から出力される。
【００９０】
（ステップＲ０２：冷却部２８の発生音を抽出し冷却部劣化情報Ｂ１を作成する）
次に演算部３４は、ステップＲ０１で受信した信号データＡ（電源部２０の動作音にかかる信号データ）に基づき、冷却部２８の発生音を抽出する。前述のように信号データＡ（電源部２０の動作音にかかる信号データ）は、冷却部２８の発生音、交流直流変換部２１、直流交流変換部２３の動作音を含む。
【００９１】
演算部３４は、ステップＲ０１で受信した信号データＡ（電源部２０の動作音にかかる信号データ）を、高速フーリエ変換等を用いフィルタリングし、冷却部２８の発生音を抽出する。抽出された送信された冷却部２８の発生音にかかるデータは、冷却部劣化情報Ｂ１として作成される。
【００９２】
（ステップＲ０３：使用環境情報Ｂ２、使用経過情報Ｂ３を受信する）
次に演算部３４は、入力部３１を介し測定部６から使用環境情報Ｂ２、使用経過情報Ｂ３を受信する。測定部６は、無停電電源装置２が稼動を開始してから現在までの、温度、湿度、気圧、サージ受電量を、無停電電源装置２の使用された環境を示す情報である使用環境情報Ｂ２として制御部３の入力部３１に出力する。
【００９３】
また、測定部６は、無停電電源装置２が稼動を開始してから現在までの、稼動時間、出力電力量を、無停電電源装置２の使用の経過を示す情報である使用経過情報Ｂ３として制御部３の入力部３１に出力する。
【００９４】
（ステップＲ０４：信号データＢを送信する）
次に演算部３４は、ステップＲ０２で作成した冷却部劣化情報Ｂ１およびステップＲ０３で受信した使用環境情報Ｂ２、使用経過情報Ｂ３を信号データＢ（冷却部２８の劣化に関する信号データ）に含め、送信部３３を介し信号データＢを判断部５に送信する。
【００９５】
以上が、制御部３の演算部３４の動作である。上記のように信号データＡ（電源部２０の動作音にかかる信号データ）に基づき、冷却部２８の発生音が抽出され、冷却部劣化情報Ｂ１、使用環境情報Ｂ２、使用経過情報Ｂ３を含む信号データＢ（冷却部２８の劣化に関する信号データ）が判断部５に送信される。
【００９６】
［１−３．効果］
（１）本実施形態によれば、無停電電源システム１は、使用の経過を示す使用経過情報Ｂ３、使用された環境を示す使用環境情報Ｂ２、冷却部の劣化を示す冷却部劣化情報Ｂ１を送信する、複数の無停電電源装置２と、複数の無停電電源装置２から使用の経過を示す使用経過情報Ｂ３、使用された環境を示す使用環境情報Ｂ２、冷却部の劣化を示す冷却部劣化情報Ｂ１を受信し、受信した使用環境情報Ｂ２に基づいた使用環境ごとに、使用経過情報Ｂ３に基づく経過に対する、冷却部劣化情報Ｂ１に基づいた冷却部の劣化を示す劣化曲線Ｆを作成する劣化曲線作成処理と、劣化曲線作成処理により作成された劣化曲線Ｆに基づき複数の無停電電源装置２の劣化状態を判断する劣化判断処理と、を実行する判断部５とを備えるので、冷却部２８の劣化の判断を、より精度よく行うことができる無停電電源システム、無停電電源用劣化判断装置、無停電電源用劣化判断プログラムおよび無停電電源劣化判断方法を提供することができる。
【００９７】
無停電電源装置２の劣化状態の判断は劣化曲線Ｆに基づいて行われ、劣化曲線Ｆは複数の無停電電源装置２から送信された使用環境情報Ｂ２に基づいて作成されるので、異なる設置環境、使用状況で使用された、無停電電源装置２の劣化の判断を、より精度よく行うことができる。
【００９８】
（２）本実施形態によれば、無停電電源システム１の劣化判断処理は、劣化状態の判断の対象となる無停電電源装置２が使用された使用環境情報Ｂ２に基づき、劣化曲線作成処理により作成された劣化曲線Ｆに対し、所定の数値以内にない場合に、無停電電源装置２の冷却部２８が劣化したものと判断するので、異なる設置環境、使用状況で使用された、冷却部２８の劣化の判断を、より精度よく行うことができる。
【００９９】
（３）本実施形態によれば、無停電電源システム１の劣化曲線作成処理により作成される劣化曲線Ｆは、使用経過情報Ｂ３に基づいて作成され、使用経過情報Ｂ３は、無停電電源装置２が稼動を開始してから現在までの、稼動時間、出力電力量のうちの少なくとも一つに基づいた劣化判断を行うので、冷却部２８の劣化の判断を、より精度よく行うことができる。
【０１００】
（４）本実施形態によれば、無停電電源システム１の劣化曲線作成処理により作成される劣化曲線Ｆは、使用環境情報Ｂ２に基づいて作成され、使用環境情報Ｂ２は、無停電電源装置２が稼動を開始してから現在までの、温度、湿度、気圧、サージ受電量のうちの少なくとも一つに関する情報であるので、冷却部２８の劣化の判断を、より精度よく行うことができる。
【０１０１】
（５）本実施形態によれば、無停電電源システム１の劣化曲線作成処理により作成される劣化曲線Ｆは、冷却部劣化情報Ｂ１に基づいて作成され、冷却部劣化情報Ｂ１は、無停電電源装置２の冷却部２８の発生音、振動、消費電流、ＡＥ（アコースティックエミッション）のうちの少なくとも一つに関する情報であるので、細かな情報に基づき冷却部２８の劣化の判断を行うことができ、冷却部２８の劣化の判断を、より精度よく行うことができる。
【０１０２】
（６）本実施形態によれば、無停電電源システム１の劣化曲線作成処理により作成される劣化曲線Ｆは、複数の無停電電源装置２から送信された使用経過情報Ｂ３、使用環境情報Ｂ２、冷却部劣化情報Ｂ１に基づき作成され、使用経過情報Ｂ３、使用環境情報Ｂ２、冷却部劣化情報Ｂ１のうちの少なくとも一つは、コンピュータクラウドに蓄積記憶されるので、より多くの無停電電源装置２から送信された使用経過情報Ｂ３、使用環境情報Ｂ２、冷却部劣化情報Ｂ１に基づき劣化曲線Ｆが作成され、冷却部２８の劣化の判断を、より精度よく行うことができる。
【０１０３】
［２．他の実施形態］
変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【０１０４】
（１）上記実施形態では、無停電電源システム１は、無停電電源装置２ａ、２ｂ〜２ｎを有しｎは任意の数量であるものとした。記憶部５２に記憶されるデータは、無停電電源装置２ａ、２ｂ〜２ｎにかかる複数の無停電電源装置２ごとの冷却部劣化情報Ｂ１、使用環境情報Ｂ２、使用経過情報Ｂ３を含む信号データＢ（冷却部２８の劣化に関する信号データ）および冷却部２８の劣化の判断の基準となる劣化曲線Ｆであるものとしたが、記憶部５２に記憶されるデータは、これに限られない。
【０１０５】
記憶部５２に記憶されるデータは、例えば無停電電源装置２ａ、２ｂ〜２ｎを有する需要家以外に設置された無停電電源装置２の信号データＢ（冷却部２８の劣化に関する信号データ）を含むようにしてもよい。
【０１０６】
また、劣化曲線Ｆは、無停電電源装置２ａ、２ｂ〜２ｎにかかる信号データＢに基づき作成されるものとしたが、無停電電源装置２ａ、２ｂ〜２ｎを有する需要家以外に設置された無停電電源装置２の信号データＢに基づき作成されるようにしてもよい。
【０１０７】
（２）上記実施形態では、無停電電源装置２から送信された冷却部劣化情報Ｂ１、使用環境情報Ｂ２、使用経過情報Ｂ３を含む信号データＢ（冷却部２８の劣化に関する信号データ）は、判断部５の送受信部５１に送信されるものとしたが、一旦コンピュータクラウドに送信され蓄積して記憶されるようにしてもよい。
【０１０８】
コンピュータクラウドに蓄積して記憶された、無停電電源装置２から送信された冷却部劣化情報Ｂ１、使用環境情報Ｂ２、使用経過情報Ｂ３を含む信号データＢは、インターネット等の通信回線を介し、送受信部５１により受信される。このように構成することにより、当該需要家の無停電電源装置２にかかる信号データＢが、他所に設置された無停電電源システム１にも利用されやすくなる。
【０１０９】
（３）上記実施形態では、判断部５は、無停電電源装置２の外部に設けられるものとしたが、判断部５は、無停電電源装置２の内部に設けられるようにしてもよい。
【０１１０】
（４）上記実施形態では、交流直流変換部２１は、交流電力を直流電力に変換するコンバータにより構成されるものとしたが、交流直流変換部２１の構成はこれに限られない。交流直流変換部２１は、交流電力を直流電力に、直流電力を交流電力に変換する双方向のインバータ・コンバータにより構成されるようにしてもよい。交流直流変換部２１のインバータとしての動作時に、蓄電池２２から放電された直流電力が、交流電力に変換され、入力端子２５を介し電力供給線９１に出力されるようにしてもよい。このように構成することにより、蓄電池２２の電力が省エネルギーに活用される。
【０１１１】
（５）上記実施形態では、冷却部２８は、電動機により駆動される冷却ファンにより構成されるものとしたが冷却部２８の構成は、これに限られない。冷却部２８は、圧縮機により構成されるものであってもよい。
【０１１２】
（６）上記実施形態では、警報出力部５４から出力される警報は、警報音、警報表示により出力されるものとしたが、警報出力部５４から出力される警報は、これに限られない。警報出力部５４から出力される警報は、例えば有線、無線通信による電文により出力されるものであってもよい。
【０１１３】
（７）上記実施形態では、各無停電電源装置２の検出部４により、電源部２０の動作音が検出され、この動作音に基づき判断部５により劣化曲線作成処理、劣化推定処理が行われるようにした。しかしながら、各無停電電源装置２の検出部４により、電源部２０の振動、冷却部２８の消費電流、電源部２０のＡＥ（アコースティックエミッション：材料の変形または破損が発生する前に放出される音波、弾性波）が検出され、これらに基づき、判断部５により劣化曲線作成処理、劣化推定処理が行われるようにしてもよい。
【０１１４】
（８）上記実施形態では、劣化曲線Ｆは、複数の無停電電源装置２から送信された信号データＢに基づき、過去の劣化を示すグラフとして作成された。しかしながら劣化曲線Ｆは、未来の劣化の予測を含むものであってもよい。この場合、劣化曲線Ｆは、複数の無停電電源装置２から送信された信号データＢに基づき、機械学習等により未来予測を行い作成される。
【０１１５】
（９）上記実施形態における劣化判断処理では、劣化曲線Ｆに基づき複数の無停電電源装置２の冷却部２８の劣化状態を判断するものとした。しかしながら劣化判断処理における劣化状態の判断は、他の複数の無停電電源装置２から送信された使用環境情報Ｂ２、使用経過情報Ｂ３のデータが類似する冷却部劣化情報Ｂ１との比較により、行われるようにしてもよい。
【０１１６】
他の複数の無停電電源装置２から送信された使用環境情報Ｂ２、使用経過情報Ｂ３に対し予め定められた一定の数値内に、劣化状態の判断の対象となる無停電電源装置２の使用環境情報Ｂ２、使用経過情報Ｂ３がある場合、冷却部劣化情報Ｂ１の比較が行われ、他の複数の無停電電源装置２から送信された冷却部劣化情報Ｂ１に対し予め定められた一定の数値内に、劣化状態の判断の対象となる無停電電源装置２の冷却部劣化情報Ｂ１が無い場合、劣化があると判断され、警報が発せられる。
【０１１７】
（１０）上記実施形態では、使用環境情報Ｂ２は、無停電電源装置２が稼動を開始してから現在までの、温度、湿度、気圧、サージ受電量のうちの少なくとも一つに関する情報であるものとしたが、使用環境情報Ｂ２は、無停電電源装置２の現在の、温度、湿度、気圧、サージ受電量のうちの少なくとも一つに関する情報であってもよい。この場合、記憶部５２に蓄積して記憶された使用環境情報Ｂ２が、演算部５６により編集され、無停電電源装置２ごとの使用環境情報Ｂ２として新たに記憶部５２に記憶される。このように構成することにより無停電電源装置２から送信されるデータの量を削減することができる。
【符号の説明】
【０１１８】
１・・・無停電電源システム
２，２ａ，２ｂ，２ｎ・・・無停電電源装置
３・・・制御部
４・・・検出部
５・・・判断部
６・・・測定部
８・・・負荷
９・・・電力系統
２０・・・電源部
２１・・・交流直流変換部
２２・・・蓄電池
２３・・・直流交流変換部
２４・・・バイパス回路
２５・・・入力端子
２６・・・補助入力端子
２７・・・出力端子
２８・・・冷却部
３１・・・入力部
３２・・・出力部
３３・・・送受信部
３４・・・演算部
３５・・・送受信部
５１・・・送受信部
５２・・・記憶部
５３・・・表示部
５４・・・警報出力部
５５・・・送受信部
５６・・・演算部
９１・・・電力供給線
９２・・・商用電源
【図１】
2019161963.tif 000003
【図２】
2019161963.tif 000004
【図３】
2019161963.tif 000005
【図４】
2019161963.tif 000006
【図５】
2019161963.tif 000007
【図６】
2019161963.tif 000008
【図７】
2019161963.tif 000009